(57)【要約】【課題】比較的簡単な構成で、音声信号を出力する携帯用音響機器を首から吊り下げて使用できるようにし、使い勝手が良くなるようにする。【解決手段】ジャックを有する携帯用音響機器と、一端に当該携帯用音響機器に接続されるプラグを有すると共に他端にイヤホンを有するコードから構成される携帯用音響システムにおいて、プラグは、接続端子が設けられたプラグシェル２１を弾性材より成るスリーブ２２を介して円筒形状のプラグカバー１６の内側に押し込んで固定されると共に、プラグカバー１６の接続端子側に突出部２３を設け、突出部２３にジャック側に設けた係合片に係合する係合溝２６が形成され、スリーブ２２をプラグカバー１６の接続端子側より所定長突出させ、スリーブ２２の突出部の弾性力によりジャック側の係合片を係合溝２６に強固に保持固定するようにした。【選択図】図１
2008293985.tif 000002
【特許請求の範囲】
【請求項１】
ジャックを有する携帯用音響機器と、一端に当該携帯用音響機器に接続されるプラグを有すると共に他端にイヤホンを有するコードから構成される携帯用音響システムにおいて、
前記プラグは、接続端子が設けられたプラグシェルを弾性材より成るスリーブを介して円筒形状のプラグカバーの内側に押し込んで固定されると共に、当該プラグカバーの接続端子側に突出部を設け、当該突出部にジャック側に設けた係合片に係合する係合溝が形成され、
前記スリーブを前記プラグカバーの前記接続端子側より所定長突出させ、当該スリーブの突出部の弾性力により前記ジャック側の前記係合片を前記係合溝に強固に保持固定するようにした
携帯用音響システム。
【請求項２】
前記携帯用音響機器と前記コードが接続された状態において、当該携帯用音響機器は吊り下げられることができる
請求項１記載の携帯用音響システム。
【請求項３】
ジャックを有する携帯用音響機器に、一端に当該携帯用音響機器に接続されるプラグを有すると共に他端にイヤホンを有するコードから構成される機器を取付けるプラグ取付け方法において、
接続端子が設けられたプラグシェルを弾性材より成るスリーブを介して円筒形状のプラグカバーの内側に押し込んで、前記プラグを固定させると共に、当該プラグカバーの接続端子側に設けた突出部に、ジャック側に設けた係合片に係合する係合溝を形成し、
前記スリーブを前記プラグカバーの前記接続端子側より所定長突出させ、当該スリーブの突出部の弾性力により前記ジャック側の前記係合片を前記係合溝に強固に保持固定するようにした
プラグ取付け方法。
【発明の詳細な説明】
【技術分野】
【０００１】
本発明は例えば音声信号をイヤホンで再生するようにした携帯用音響機器等を首から吊り下げるのに使用して好適な携帯用音響システム及びプラグ取付け方法に関する。
【背景技術】
【０００２】
従来、音声信号をイヤホンで再生するようにした携帯用音響機器を首から吊り下げて使用するようにしたものとして特許文献１に示す如きものが提案されている。
【０００３】
この特許文献１に示すものは図１０に示す如き、布製部材あるいはビニール製部材の吊り下げ手段（ネックストラップ）１に携帯用音響機器よりのイヤホン２のコード３をこのコード３に固定された６個のクリップ４ａ，４ｂ‥‥４ｆで装着すると共にこの吊り下げ手段１の先端部に設けられた紐５でこの携帯用音響機器（図示せず）例えばＭＤプレーヤ、ＣＤプレーヤ等を固定し、更にイヤホン２のコード３の先端部に設けられたプラグ６をこの携帯用音響機器のジャックに挿入する如くなしたものである。
【０００４】
【特許文献１】特開２００２−１６９９５号公報
【発明の開示】
【発明が解決しようとする課題】
【０００５】
然しながら、特許文献１に示す如きものは、この携帯用音響機器を首から吊り下げて使用するのに、吊り下げ手段（ネックストラップ）１の先端部に設けられた紐５で、この携帯用音響機器を縛って固定すると共にプラグ６をこの携帯用音響機器のジャックに挿入する如くしているので、使用するのに比較的複雑であると共に使い勝手が悪い不都合があった。
【０００６】
本発明は斯る点に鑑み比較的簡単な構成で、音声信号を出力する携帯用音響機器を首から吊り下げて使用できるようにし、使い勝手が良くなるようにすることを目的とする。
【課題を解決するための手段】
【０００７】
本発明は、ジャックを有する携帯用音響機器と、一端に当該携帯用音響機器に接続されるプラグを有すると共に他端にイヤホンを有するコードから構成される携帯用音響システムにおいて、
前記プラグは、接続端子が設けられたプラグシェルを弾性材より成るスリーブを介して円筒形状のプラグカバーの内側に押し込んで固定されると共に、当該プラグカバーの接続端子側に突出部を設け、当該突出部にジャック側に設けた係合片に係合する係合溝が形成され、
前記スリーブを前記プラグカバーの前記接続端子側より所定長突出させ、当該スリーブの突出部の弾性力により前記ジャック側の前記係合片を前記係合溝に強固に保持固定するようにしたものである。
【０００８】
斯る本発明によればプラグカバーの突出部の係合溝にジャック側の係合片を係合するだけで、このプラグカバーに例えば携帯用音響機器を保持固定できると共にプラグの接続端子をジャックに挿入接続できるので簡単な構成で使い勝手が良くなる。
【発明の効果】
【０００９】
本発明によれば、プラグカバーの突出部の係合溝にジャック側の係合片を係合するだけの簡単な構成で、このプラグカバーに例えば携帯用音響機器を保持固定することができると共にプラグの接続端子をこの携帯用音響機器のジャックに接続でき、使い勝手が良くなる。
【発明を実施するための最良の形態】
【００１０】
以下、図面を参照して本発明プラグ取付機構の実施の形態の例につき説明する。
【００１１】
本例は、図７、図８、図９に示す如き、音声信号を出力する携帯用音響機器１７を首から吊り下げて使用できるようにした、ネックストラップ１０にイヤホン１２のコード１３を固定し、このイヤホン１２のコード１３の先端に設けたプラグ部に携帯用音響機器１７を取付けるようにしたものである。
【００１２】
この図７〜図９において、１０ａはバンド部材を示し、このバンド部材１０ａは可撓性のあるエラストマ、ビニル等の合成樹脂より構成する。このバンド部材１０ａの長さは図８に示す如く人の首を１廻りする程度とすると共に中央部近傍を帯状とする如くする。
【００１３】
このバンド部材１０ａの両端部に図９Ａに示す如くイヤホン１２のコード１３を受ける肉薄部１１を設ける。この肉薄部１１の長さはコード１３の外周長よりやや小とし、この肉薄部１１でこのコード１３を挟んで折り曲げたときにこのコード１３は肉薄部１１により締め付けられ摩擦によりこのコード１３がこの肉薄部１１よりすべらない如くする。
【００１４】
このバンド部材１０ａの夫々の肉薄部１１の遊端側に夫々図９Ａに示す如くスリット１４ａが形成されたパイプ部１４を設ける。このパイプ部１４はこのバンド部材１０ａと一体成形により形成する。この場合このパイプ部１４のスリット部１４ａは肉薄部１１との連結側とは反対側に位置する如く形成する。
【００１５】
また、この肉薄部１１の遊端側とは反対側にこのスリット１４ａが形成されたパイプ部１４と係合する軸部１５を設ける。この軸部１５は円柱状をなしているので肉薄部１１及びパイプ部１４に比し剛性が大である。この肉薄部１１、パイプ部１４及び軸部１５はバンド部材１０と合成樹脂により一体成形により形成する。
【００１６】
この場合、パイプ部１４を肉薄部１１より折り曲げ所定の力を加えたときはこのパイプ部１４はスリット１４ａより軸部１５が係合し、このパイプ部１４がこの軸部１５を抱擁し、固定される。本例においては図９Ｂに示す如く、イヤホン１２のコード１３をこの肉薄部１１で受け、この肉薄部１１よりこのパイプ部１４を折り曲げこのパイプ部１４をこの軸部１５に係合する如くする。
【００１７】
この左及び右のイヤホン１２，１２の左及び右のコード１３，１３が合体された先の先端に設けられたプラグを本例によるプラグ取付機構により比較的小型軽量に構成された携帯用音響機器１７のジャックに接続すると共にこの携帯用音響機器１７を固定保持する如くする。
【００１８】
以下に本例によるプラグ取付機構を図１〜図６を参照して説明する。
【００１９】
この図１〜図６において、１６はプラグカバーを示し、このプラグカバー１６はＡＢＳ樹脂等の比較的硬い合成樹脂により円筒形状に形成したもので、この円筒形状のプラグカバー１６は接続端子２０及びプラグシェル２１より成るイヤホン１２のプラグを貫通する如く構成すると共にこの円筒形状のプラグカバー１６の一側即ちイヤホン１２側を先細とし、後述するスリーブ２２をこのプラグのプラグシェル２１に巻き付けたときはこのプラグはこのプラグカバー１６の一側より抜けない如くする。
【００２０】
このスリーブ２２は図１、図２に示す如くプラグのプラグシェル２１に巻き付ける如くなされたもので、このスリーブ２２はゴム、エラストマ等の弾性材より成り、図２に示す如くこのスリーブ２２をプラグのプラグシェル２１に巻き付けて、図３に示す如くこのプラグシェル２１をこのプラグカバー１６の内側に押し込んでこのプラグを保持固定する如くする。
【００２１】
また図３に示す如くプラグを保持固定したこのプラグカバー１６のプラグの接続端子２０側の対向する２ヶ所に一体に突出部２３及び２３を設け、この突出部２３，２３を図４に示す如き携帯用音響機１７のジャック部の外側に固定された円盤状の取付板２４に対称位置に形成された凹部２４ａ及び２４ｂに挿入できる如くすると共に、この突出部２３，２３の内側に図４に示す如く、この円盤状の取付板２４の凹部２４ａ及び２４ｂに夫々設けられた係合片２５に係合するＬ字状の係合溝２６を形成する。
【００２２】
図４において、２７はこの円盤状の取付板２４の中心に設けられたプラグの接続端子２０を挿入するジャックを構成するジャック穴である。
【００２３】
また、本例においては、プラグのプラグシェル２１をスリーブ２２を巻き付けてプラグカバー１６の内側に固定したときに、このスリーブ２２をこのプラグカバー１６の接続端子２０側より所定長突出するようにし、このスリーブ２２の突出部の弾性力によりジャック側の取付板２４に設けた係合片２５を突出部２３のＬ字状係合溝２６に保持固定する如くする。
【００２４】
この場合、プラグカバー１６の内側に固定したプラグの接続端子２０をジャック穴２７に挿入すると共にジャック側の取付板２４に設けた係合片２５をプラグカバー１６の突出部２３に形成したＬ字状係合溝２６に沿う如く、この突出部２３，２３を取付板２４の凹部２４ａ，２４ｂに挿入しその後図４、図５に示す如くこのＬ字状係合溝２６に沿って矢印方向に回動したときは、この係合片２５と係合溝２６とが係合し、プラグの接続端子２０が携帯用音響機器１７のジャックに接続されると共にこのプラグカバー１６に携帯用音響機器１７を保持固定することができる。
【００２５】
本例によるプラグ取付機構は上述の如く構成されているので、図７に示す如くコード１３，１３がネックストライプ１０に固定したイヤホン１２，１２をプラグ部に本例によるプラグ取付機構により携帯用音響機器１７を保持固定すると共にプラグの接続端子２０をこの携帯用音響機器１７のジャックに挿入接続するときは、まず図６に示す如く、イヤホン１２，１２の接続端子２０及びプラグシェル２１より成るプラグを円筒状のプラグカバー１６の内側を貫通する。
【００２６】
次に、図１、図２に示す如く、このプラグのプラグシェル２１に弾性材より成るスリーブ２２を巻き付け、その後図３に示す如くこのプラグシェル２１にスリーブ２２を巻き付けたプラグをこのプラグカバー１６内に押し込んでこのプラグをこのプラグカバー１６の内側に保持固定する。
【００２７】
次に図４に示す如く、プラグカバー１６の内側に固定したプラグの接続端子２０をジャック穴２７に挿入すると共に携帯用音響機器１７のジャックの外側に固定した円盤状の取付板２４の凹部２４ａ及び２４ｂに設けた係合片２５，２５をプラグカバー１６の突出部２３，２３に形成したＬ字状係合溝２６，２６の溝に沿う如く、この突出部２３，２３をこの取付板２４の凹部２４ａ，２４ｂに挿入する。
【００２８】
その後、図４、図５に示す如く、この取付板２４の係合片２５、２５がこの突出部２３，２３のＬ字状の係合溝２６，２６に沿う如く矢印方向に回動したときは、この係合片２５，２５と係合溝２６，２６とが係合し、プラグの接続端子２０が携帯用音響機器１７のジャックに接続されると共にこのプラグカバー１６に携帯用音響機器１７を保持固定することができる。
【００２９】
この場合本例においては、スリーブ２２をこのプラグカバー１６の接続端子２０側より所定長突出するようにしたので、このスリーブ２２の突出部の弾性力によりこの係合片２５，２５と係合溝２６，２６とをより強固に保持固定することができる。
【００３０】
以上述べた如く、本例によればプラグカバー１６の突出部２３，２３の係合溝２６，２６にジャック側の係合片２５，２５を係合するだけの簡単な構成で、このプラグカバー１６に携帯用音響機器１７を保持固定することができると共にプラグの接続端子２０をこの携帯用音響機器１７のジャックに接続でき、使い勝手が良くなる。
【００３１】
尚、本発明は上述例に限ることなく本発明の要旨を逸脱することなく、その他種々の構成が採り得ることは勿論である。
【図面の簡単な説明】
【００３２】
【図１】本発明プラグ取付機構の実施の形態の例の要部を示す分解斜視図である。
【図２】本発明プラグ取付機構の実施の形態の例の要部を示す分解斜視図である。
【図３】本発明プラグ取付機構の実施の形態の例の要部を示す斜視図である。
【図４】本発明プラグ取付機構の実施の形態の例を示す構成図である。
【図５】本発明プラグ取付機構の取付状態の例を示す斜視図である。
【図６】本発明の説明に供する線図である。
【図７】本発明プラグ取付機構の実施の形態の例の使用状態の例を示す斜視図である。
【図８】本発明プラグ取付機構の実施の形態の例の使用状態の例を示す線図である。
【図９】ネックストライプの例の説明に供する線図である。
【図１０】従来例の説明に供する線図である。
【符号の説明】
【００３３】
１０‥‥ネックストライプ、１２‥‥イヤホン、１３‥‥コード、１６‥‥プラグカバー、１７‥‥携帯用音響機器、２０‥‥接続端子、２１‥‥プラグシェル、２２‥‥スリーブ、２３‥‥突出部、２４‥‥取付板、２４ａ，２４ｂ‥‥凹部、２５‥‥係合片、２６‥‥係合溝、２７‥‥ジャック穴
【図１】
2008293985.tif 000003
【図２】
2008293985.tif 000004
【図３】
2008293985.tif 000005
【図４】
2008293985.tif 000006
【図５】
2008293985.tif 000007
【図６】
2008293985.tif 000008
【図７】
2008293985.tif 000009
【図８】
2008293985.tif 000010
【図９】
2008293985.tif 000011
【図１０】
2008293985.tif 000012
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
ジャックを有する携帯用音響機器と、一端に当該携帯用音響機器に接続されるプラグを有すると共に他端にイヤホンを有するコードから構成される携帯用音響システムにおいて、
前記プラグは、接続端子が設けられたプラグシェルを弾性材より成るスリーブを介して円筒形状のプラグカバーの内側に押し込んで固定されると共に、当該プラグカバーの接続端子側に突出部を設け、当該突出部にジャック側に設けた係合片に係合する係合溝が形成され、前記突出部と前記係合溝側の係合片との係合で前記プラグシェルが前記ジャックに固定される構成とし、
前記弾性材より成るスリーブを前記プラグカバーの前記接続端子側より所定長突出させ、前記係合を行う際に、その所定長突出したスリーブが接するようにした
携帯用音響システム。
【請求項２】
前記携帯用音響機器と前記コードが接続された状態において、当該携帯用音響機器は吊り下げられることができる
請求項１記載の携帯用音響システム。
【請求項３】
ジャックを有する携帯用音響機器に、一端に当該携帯用音響機器に接続されるプラグを有すると共に他端にイヤホンを有するコードから構成される機器を取付けるプラグ取付け方法において、
接続端子が設けられたプラグシェルを弾性材より成るスリーブを介して円筒形状のプラグカバーの内側に押し込んで、前記プラグを固定させると共に、当該プラグカバーの接続端子側に設けた突出部に、ジャック側に設けた係合片に係合する係合溝を形成し、前記突出部と前記係合溝側の係合片との係合で前記プラグシェルが前記ジャックに固定される構成とし、
前記弾性材より成るスリーブを前記プラグカバーの前記接続端子側より所定長突出させ、前記係合を行う際に、その所定長突出したスリーブが接するようにした
プラグ取付け方法。
【手続補正２】
【補正対象書類名】明細書
【補正対象項目名】０００７
【補正方法】変更
【補正の内容】
【０００７】
本発明は、ジャックを有する携帯用音響機器と、一端に当該携帯用音響機器に接続されるプラグを有すると共に他端にイヤホンを有するコードから構成される携帯用音響システムにおいて、
前記プラグは、接続端子が設けられたプラグシェルを弾性材より成るスリーブを介して円筒形状のプラグカバーの内側に押し込んで固定されると共に、当該プラグカバーの接続端子側に突出部を設け、当該突出部にジャック側に設けた係合片に係合する係合溝が形成され、前記突出部と前記係合溝側の係合片との係合で前記プラグシェルが前記ジャックに固定される構成とし、
前記弾性材より成るスリーブを前記プラグカバーの前記接続端子側より所定長突出させ、前記係合を行う際に、その所定長突出したスリーブが接するようにしたものである。